(57)【要約】【課題】既存のサッカーゴールポストを変更することなく適用することができ、身体をぶつけても事故を引き起こす危険性が小さく、そのうえサッカーゴールポストの転倒を効果的に防止することができる球技用ゴールポスト転倒防止ウェイトを提供する。【解決手段】金属製ブロック、および該金属製ブロックの表面上に設けられた弾性体被覆層を備え、前記金属製ブロックに溝が設けられてなることを特徴とを特徴としている。【選択図】図１
0003105651.tif 000002
【実用新案登録請求の範囲】
【請求項１】
金属製ブロック、および
該金属製ブロックの表面上に設けられた弾性体被覆層
を備え、
前記金属製ブロックに溝が設けられてなる
ことを特徴とする球技用ゴールポスト転倒防止ウェイト。
【請求項２】
前記金属製ブロックが、凸面と凹面とを有する略Ｌ字状の断面形状を呈し、前記溝が該凹面によって構成されてなる請求項１記載の球技用ゴールポスト転倒防止ウェイト。
【請求項３】
前記溝に２または３以上のリブが設けられてなる請求項２記載の球技用ゴールポスト転倒防止ウェイト。
【請求項４】
前記弾性体被覆層がエチレンプロピレンゴム層である請求項１、２または３記載の球技用ゴールポスト転倒防止ウェイト。
【請求項５】
前記弾性体被覆層が天然ゴム層である請求項１、２または３記載の球技用ゴールポスト転倒防止ウェイト。
【考案の詳細な説明】
【技術分野】
【０００１】
本考案は球技用ゴールポスト転倒防止ウェイトに関する。さらに詳しくは、弾性体で被覆された金属製ブロックに溝が設けられた球技用ゴールポスト転倒防止ウェイトに関する。
【背景技術】
【０００２】
サッカーゴールポストは、試合中に強風にあおられることによって転倒することがあり、そのような場合、思わぬ大きな事故に見舞われることになるおそれがある。そこで、かかるサッカーゴールの転倒防止策として、図５に示されるとおり、サッカーゴールポスト本体１１の底部１２に板片１３を前方向に取りつけた、転倒防止板付きサッカーゴールポストが提案されている（例えば、特許文献１参照）。
【０００３】
しかし、特許文献１に開示された転倒防止板付きサッカーゴールポストの場合、ゴール付近での激しいプレイで、この転倒防止板（板片１３）につまずいたり、身体をぶつけたりするおそれもある。
【０００４】
また、特許文献１には、サッカーゴールポスト本体１１の底部１２に板片１３をスライド式に設けることも開示されているが、既存のサッカーゴールポストの底部２への適用が難しいという問題がある。この場合、板片１３をグランドに埋め込むことが考えられるが、そのうようにすると、金具がグランドに残るため、やはり、事故に結びつくおそれがあり、そのうえ、ゴールポストを移動できないという問題もある。
【０００５】
【特許文献１】特開２００４−１３４号公報
【考案の開示】
【考案が解決しようとする課題】
【０００６】
本考案は、従来のサッカーゴールポストの問題点を解消し、既存のサッカーゴールポストを変更することなく適用することができ、身体をぶつけても事故を引き起こす危険性が小さく、そのうえサッカーゴールポストの転倒を効果的に防止することができる、サッカーに限られず、ハンドボールやホッケーなどを含む球技用ゴールポスト転倒防止ウェイトを提供することである。
【課題を解決するための手段】
【０００７】
本考案の球技用ゴールポスト転倒防止ウェイトは、金属製ブロック、および
該金属製ブロックの表面上に設けられた弾性体被覆層
を備え、
前記金属製ブロックに溝が設けられてなる
ことを特徴としている。
【０００８】
また、前記金属製ブロックが、凸面と凹面とを有する略Ｌ字状の断面形状を呈し、前記溝が該凹面によって構成されてなることが好ましい。
【０００９】
また、前記溝に２または３以上のリブが設けられてなる略Ｌ字状の断面を有する金属製ブロックが弾性体で被覆されてなることが好ましい。
【００１０】
また、前記弾性体はエチレンプロピレンゴムとすることができる。
【００１１】
また、前記弾性体は天然ゴムとすることができる。
【考案の効果】
【００１２】
本考案の請求項１にかかわる球技用ゴールポスト転倒防止ウェイトによれば、金属製ブロック、および該金属製ブロックの表面上に設けられた弾性体被覆層を備え、前記金属製ブロックに溝が設けられてなることを構成上の特徴としているため、球技用ゴールポスト本体の底部に溝を係合するように設置するするだけで、球技用ゴールポストの転倒を簡単に防止することができ、選手が転倒してぶつかっても安全であり、球技用ゴールポストの設置場所が固定されることがなく、球技用ゴールウェイトを撤去したあとにグランドに穴が残らないため、つまずいて転倒することがなく、そのうえ積み重ねて保管することができる。
【００１３】
また、本考案の請求項２、３または４にかかわる球技用ゴールポスト転倒防止ウェイトによれば、略Ｌ字状の断面を有しているため、前述の請求項１にかかわる球技用ゴールポスト転倒防止ウェイトの効果に加えて、積み重ねて保管することができる。
【考案を実施するための最良の形態】
【００１４】
本考案の球技用ゴールポスト転倒防止ウェイト（以下、ウェイトという）について、添付図面を参照しながら以下に詳細に説明する。
【００１５】
図１は本考案のウェイトが設けられたサッカーゴールポストを示す斜視図、図２は本考案の一実施の形態にかかわるウェイトを示す斜視図、図３（ａ）は本考案の他の実施の形態にかかわる斜視図、図３（ｂ）は図３（ａ）のウェイトのＸ−Ｘ線断面図、図４は本考案のウェイトとサッカーゴールポストの底部とが係合している状態を示す説明図である。
【００１６】
図２〜３を参照すると、本実施の形態にかかわるウェイト３は、略Ｌ字状の断面を有する金属製ブロックＭと、金属製ブロックＭを被覆した弾性体被覆層Ｃとから構成されている。金属製ブロックＭとしては、たとえば市場で入手可能なＪＩＳＧ３１０１（一般構造用圧延鋼材）の等辺山形鋼を使用できるが、これに限られることはない。また、弾性体被覆層Ｃは、たとえばエチレンプロピレンゴム（ＥＰＤＭ）から製造することができるが、これに限られることはなく、たとえな天然ゴムから製造することもできる。
【００１７】
図２に示されるように、ウェイト３は凸面４と凹面５とを有しており、凹面５が溝６を画定する。本考案における金属製ブロックＭは、Ｌ字状断面のものに限られることはなく、図１のサッカーゴールポスト１の底部２と係合する溝６を有しておりさえすればいかなる形状のものでもよい。
【００１８】
図３〜４には、凹面５にリブ７が設けられたものが示されている。図４の（ａ）に示されるとおりのリブ７の高さＨ１は、図４の（ｂ）の高さＨ２より低いが、これは、図１に示されるサッカーゴールポスト１として公式に使用されているものの底部２のパイプ（円形断面のものと、矩形断面のものとを含む）の大きさは必ずしも統一されていない。このため、現状、公式試合や、学校で使用されているサッカーゴールポストの底部の大きさに合わせて、図２に示されたウェイト３の厚さＴを薄くしたり、厚くしたりすることにより対応することも可能であるが、図４に示されるように、底部２のパイプの大きさ（図４に示されたＤ１、Ｄ２）に合わせてウェイト３の溝６とグランドＧとの間に底部２が係合するように異なるリブの高さ（図４のＨ１、Ｈ２）をもつものを用意しておく方が、本考案のウェイト３を製造するための金型の設計の合理化を図ることでき、コスト削減の観点からも好ましい。図３には、リブ７が２つ設けられたものが示されているが、１つのウェイト３に設けられるリブ７の数は２つに限られるものではなく、３つ以上設けたものももちろん本考案に含まれるが、リブ７の数を増やすと、図２に示されたウェイト３の厚さＴを薄くしたり、厚くしたりすることと実質的に同じになりリブ７を用いる利点がなくなるのでリブ７の数を増やすことは得策ではない。
【図面の簡単な説明】
【００１９】
【図１】本考案のウェイトが設けられたサッカーゴールポストを示す斜視図ある。
【図２】本考案の一実施の形態にかかわるウェイトを示す斜視図である。
【図３】（ａ）は本考案の他の実施の形態にかかわる斜視図であり、（ｂ）は図３（ａ）のウェイトのＸ−Ｘ線断面図である。
【図４】本考案のウェイトとサッカーゴールポストの底部とが係合している状態を示す説明図である。
【図５】従来のサッカーゴールポストを示す斜視図である。
【符号の説明】
【００２０】
１  サッカーゴールポスト
２  底部
３  ウェイト
４  凸面
５  凹面
６  溝
７  リブ
Ｃ  合成樹脂層Ｃ
Ｇ  グランド
Ｍ  金属製ブロック
【図１】
0003105651.tif 000003
【図２】
0003105651.tif 000004
【図３】
0003105651.tif 000005
【図４】
0003105651.tif 000006
【図５】
0003105651.tif 000007